(57)【特許請求の範囲】
【請求項１】
第１の周波数信号を受信して、復調するための第１の復調部と、
前記第２の周波数信号を受信して、復調するための第２の復調部と、
前記第１および第２の復調部が搭載されるプリント配線基板とを備え、
前記プリント配線基板は、
前記第１の復調部を構成する信号配線パターンを形成するための第１の領域と、
前記第２の復調部を構成する信号配線パターンを形成するための第２の領域と、
前記第１の領域と第２の領域との間に設けられた境界領域とを含み、
前記境界領域は、
前記第１および第２の復調部によって共用可能な信号配線パターンを配置するための共用領域と、
前記第１および第２の復調部の信号配線パターンのうちの所定部分を電気的に互いに分離するための分離領域とを有し、
前記第１および第２の復調部は、前記第１および前記第２の周波数信号をそれぞれ受信して、雑音成分をそれぞれ除去する第１および第２のフィルタと、前記第１および前記第２のフィルタから出力された前記第１および前記第２の周波数信号をそれぞれ増幅する第１および第２の増幅器と、前記第１および第２の増幅器から増幅された前記第１および第２の周波数信号をそれぞれ第１および第２のベースバンド信号に復調する第１および第２のベースバンド信号復調部とを含み、
前記共用領域は、前記第１のフィルタおよび前記第２のフィルタに対応して前記第１のフィルタと前記第２のフィルタとの間に配置され、
前記分離領域は、前記第１の増幅器から前記第１のベースバンド信号復調部および前記第２の増幅器から前記第２のベースバンド信号復調部に対応して、前記第１の増幅器から前記第１のベースバンド信号復調部および前記第２の増幅器から前記第２のベースバンド信号復調部との間に配置される、放送受信機。
【請求項２】
前記第１および第２の復調部は、前記第１および第２のベースバンド信号を第１および第２のデータ信号に復調する第１および第２のデータ信号復調部をさらに含み、
前記共用領域は、前記第１のデータ復調部および前記第２のデータ復調部に対応して前記第１のデータ復調部と前記第２のデータ復調部との間にさらに設けられる、請求項１記載の放送受信機。
【請求項３】
前記第１および第２のデータ復調部は、ＰＳＫ復調部を有する、請求項２記載の放送受信機。
【請求項４】
前記第１および第２のデータ復調部は、直交振幅復調部を有する、請求項３記載の放送受信機。
【請求項５】
第１の周波数信号を受信して、復調するための第１の復調部と、
前記第２の周波数信号を受信して、復調するための第２の復調部と、
前記第１および第２の復調部が搭載されるプリント配線基板とを備え、
前記プリント配線基板は、
前記第１の復調部を構成する信号配線パターンを形成するための第１の領域と、
前記第２の復調部を構成する信号配線パターンを形成するための第２の領域と、
前記第１の領域と第２の領域との間に設けられた境界領域とを含み、
前記境界領域は、
前記第１および第２の復調部によって共用可能な信号配線パターンを配置するための共用領域と、
前記第１および第２の復調部の信号配線パターンのうちの所定部分を電気的に互いに分離するための分離領域とを有し、
前記プリント配線基板を収納するための導電性のシャーシをさらに備え、
前記シャーシは、入力信号端子および出力信号端子を含み、
前記プリント配線基板における前記共用領域は、前記第１および第２の復調部のいずれか一方における外部からの入力信号配線パターンおよび外部への出力信号配線パターンを有し、
前記入力信号配線パターンおよび前記出力信号配線パターンは、それぞれ前記入力信号端子および出力信号端子と電気的に接続する、放送受信機。
【請求項６】
第１の周波数信号を受信して、復調するための第１の復調部と、
前記第２の周波数信号を受信して、復調するための第２の復調部と、
前記第１および第２の復調部が搭載されるプリント配線基板とを備え、
前記プリント配線基板は、
前記第１の復調部を構成する信号配線パターンを形成するための第１の領域と、
前記第２の復調部を構成する信号配線パターンを形成するための第２の領域と、
前記第１の領域と第２の領域との間に設けられた境界領域とを含み、
前記境界領域は、
前記第１および第２の復調部によって共用可能な信号配線パターンを配置するための共用領域と、
前記第１および第２の復調部の信号配線パターンのうちの所定部分を電気的に互いに分離するための分離領域とを有し、
前記プリント配線基板を囲んで収納するための導電性のシャーシをさらに備え、
前記プリント配線基板における前記共用領域は、前記第１の復調部および前記第２の復調部によって共有される接地電圧の配線パターンを含み、
前記シャーシと前記接地電圧の配線パターンとは電気的に結合される、放送受信機。
【請求項７】
第１の周波数信号を受信して、復調するための第１の復調部と、
前記第２の周波数信号を受信して、復調するための第２の復調部と、
前記第１および第２の復調部が搭載されるプリント配線基板とを備え、
前記プリント配線基板は、
前記第１の復調部を構成する信号配線パターンを形成するための第１の領域と、
前記第２の復調部を構成する信号配線パターンを形成するための第２の領域と、
前記第１の領域と第２の領域との間に設けられた境界領域とを含み、
前記境界領域は、
前記第１および第２の復調部によって共用可能な信号配線パターンを配置するための共用領域と、
前記第１および第２の復調部の信号配線パターンのうちの所定部分を電気的に互いに分離するための分離領域とを有し、
前記プリント配線基板を囲んで収納するための導電性のシャーシと、
前記プリント配線基板と平行に配置され、前記プリント配線基板を収納するために前記シャーシの側面部の一方側に設けられた上蓋と、
前記プリント配線基板と平行に配置され、前記シャーシの側面部の他方側に設けられた下蓋と、
前記上蓋から前記下蓋までの間を貫通するように配置される、導電性部材とをさらに備え、
前記プリント配線基板における前記共用領域は、前記第１の復調部および前記第２の復調部によって共有される接地電圧の配線パターンを含み、
前記接地電圧の配線パターンと前記導電性部材とは、電気的に結合される、放送受信機。
【請求項８】
前記上蓋および前記下蓋の少なくとも一方は、前記プリント配線基板方向に突起する突起部を有し、
前記導電性部材は、前記突起部と電気的に結合される、請求項７記載の放送受信機。
【請求項９】
前記プリント配線基板上において、前記信号配線パターンおよび回路素子は、前記分離領域の上面および下面を避けて配置される、請求項１〜８のいずれか一項に記載の放送受信機。
【請求項１０】
前記分離領域は、前記プリント配線基板を貫通するスリットを有する、請求項１〜８のいずれか一項に記載の放送受信機。
【請求項１１】
前記分離領域は、前記プリント配線基板を貫通する貫通孔を有する、請求項１〜８のいずれか一項に記載の放送受信機。
【発明の詳細な説明】
【０００１】
【発明の属する技術分野】
本発明は、放送受信機に関し、特に、少なくとも２つのチューナブロックを有する放送受信機に関する。
【０００２】
【従来の技術】
近年、放送チャンネルの多チャンネル化が進みＢＳ放送、ＣＳ放送、デジタルＢＳ放送等の各デジタル放送やアナログ放送等を受信する場合、システムの簡略化とコスト削除等の面から、少なくとも２つのチューナブロックを同一のプリント配線基板に装着し１つのシャーシ内に収納した放送受信機が主流となってきている。
【０００３】
図８は、２つのチューナブロックを同一のプリント配線基板に装着した従来の放送受信機２００の外観構成図である。
【０００４】
放送受信機２００は、上蓋１および下蓋３と、プリント配線基板１００と、プリント配線基板１００を囲むシャーシ２と、放送信号（以下、高周波ＲＦ信号とも称する。）の入力を受ける入力端子１０および５０とを備える。
【０００５】
図９は、プリント配線基板１００に装着される回路の配置を示す図である。
プリント配線基板１００は、２つの異なる高周波ＲＦ信号をそれぞれ受信するためのチューナブロックＴＡの信号配線パターンおよびチューナブロックＴＢの信号配線パターンを含む。また、チューナブロックＴＡの信号配線パターンとチューナブロックＴＢの信号配線パターンとの間に挟まれる境界領域３０をさらに含む。
【０００６】
ここで、チューナブロックＴＡについて説明する。
チューナブロックＴＡは、高周波ＲＦ信号の入力を受ける入力端子１０と、入力される高周波ＲＦ信号のうち低周波成分を減衰させるハイパスフィルタ１１と、ハイパスフィルタ１１を通過した信号を増幅する増幅器１２と、増幅した信号をＩ信号およびＱ信号からなるベースバンド信号に復調するベースバンド復調部２０と、ベースバンド信号をデジタルデータ信号に復調するデータ復調部１７と、デジタルデータ信号を外部に出力する端子である出力端子１８とを備える。
【０００７】
チューナブロックＴＢも同様の構成を有し、チューナブロックＴＢは、入力端子５０に入力端子１０と異なる高周波ＲＦ信号を受けて、ベースバンド信号に復調し、ベースバンド信号を復調して、デジタルデータ信号を出力端子５８から出力する。
【０００８】
このようにそれぞれが異なる高周波ＲＦ信号を受信するための２つのチューナブロックＴＡおよびＴＢが１つのシャーシ内に収納され、同一のプリント配線基板上に回路を構成する場合には、各チューナブロックＴＡおよびＴＢ間の信号配線パターンを完全にそれぞれ独立に形成し、その間を完全に分離する境界領域３０を図９に示すように全域に渡って設ける構成が一般的であった。
【０００９】
なぜなら、チューナブロックＴＡの入力端子１０に入力された高周波ＲＦ信号は、プリント配線基板１００の信号配線パターンおよび接地電圧配線パターンを通じてもう一方のチューナブロックＴＢに漏洩し、入力端子５０から入力される別の高周波ＲＦ信号と干渉するという問題があったからである。
【００１０】
【発明が解決しようとする課題】
しかしながら、かかる境界領域３０を設けることにより、完全に分離した場合、各チューナブロックＴＡおよびＴＢに電源を供給する電源ラインやベースバンド復調部で用いられる信号ライン例えば、Ｉ信号およびＱ信号であるベースバンド信号に復調した信号ライン等の信号配線パターンに制約が生じる。
【００１１】
また、チューナブロックＴＡおよびＴＢ相互で接地電圧配線パターンを共用することができないために全体的に十分な接地を行なうことができないという問題があった。
【００１２】
本発明の目的は、受信する高周波ＲＦ信号相互の干渉という問題を防止しつつ、接地を強化するとともに、それぞれが独立で複数のチューナブロックの信号配線パターンを容易にするプリント配線基板を有する放送受信機を提供することである。
【００１３】
【課題を解決するための手段】
本発明の放送受信機は、第１の周波数信号を受信して、復調するための第１の復調部と、第２の周波数信号を受信して、復調するための第２の復調部と、第１および第２の復調部が搭載されるプリント配線基板とを備え、プリント配線基板は、第１の復調部を構成する信号配線パターンを形成するための第１の領域と、第２の復調部を構成する信号配線パターンを形成するための第２の領域と、第１の領域と第２の領域との間に設けられた境界領域とを含み、境界領域は、第１および第２の復調部によって共用可能な信号配線パターンを配置するための共用領域と、第１および第２の復調部の信号配線パターンのうちの所定部分を電気的に分離するための分離領域とを有する。第１および第２の復調部は、第１および第２の周波数信号をそれぞれ受信して、雑音成分をそれぞれ除去する第１および第２のフィルタと、第１および第２のフィルタから出力された第１および第２の周波数信号をそれぞれ増幅する第１および第２の増幅器と、第１および第２の増幅器から増幅された第１および第２の周波数信号をそれぞれ第１および第２のベースバンド信号に復調する第１および第２のベースバンド信号復調部とを含み、共用領域は、第１のフィルタおよび第２のフィルタに対応して第１のフィルタと第２のフィルタとの間に配置され、分離領域は、第１の増幅器から第１のベースバンド信号復調部および第２の増幅器から第２のベースバンド信号復調部に対応して、第１の増幅器から第１のベースバンド信号復調部および第２の増幅器から第２のベースバンド信号復調部との間に配置される。
【００１５】
特に、第１および第２の復調部は、第１および第２のベースバンド信号を第１および第２のデータ信号に復調する第１および第２のデータ信号復調部をさらに含み、共用領域は、第１のデータ復調部および第２のデータ復調部に対応して第１のデータ復調部と第２のデータ復調部との間にさらに設けられる。
【００１６】
特に、第１および第２のデータ復調部は、ＰＳＫ復調部を有する。
特に、第１および第２のデータ復調部は、直交振幅復調部を有する。
【００１７】
本発明の別の放送受信機は、第１の周波数信号を受信して、復調するための第１の復調部と、第２の周波数信号を受信して、復調するための第２の復調部と、第１および第２の復調部が搭載されるプリント配線基板とを備え、プリント配線基板は、第１の復調部を構成する信号配線パターンを形成するための第１の領域と、第２の復調部を構成する信号配線パターンを形成するための第２の領域と、第１の領域と第２の領域との間に設けられた境界領域とを含み、境界領域は、第１および第２の復調部によって共用可能な信号配線パターンを配置するための共用領域と、第１および第２の復調部の信号配線パターンのうちの所定部分を電気的に分離するための分離領域とを有する。プリント配線基板を収納するための導電性のシャーシをさらに備え、シャーシは、入力信号端子および出力信号端子を含み、プリント配線基板における共用領域は、第１および第２の復調部のいずれか一方における外部からの入力信号配線パターンおよび外部への出力信号配線パターンを有し、入力信号配線パターンおよび出力信号配線パターンは、それぞれ入力信号端子および出力信号端子と電気的に接続する。
【００２０】
本発明のさらに別の放送受信機は、第１の周波数信号を受信して、復調するための第１の復調部と、第２の周波数信号を受信して、復調するための第２の復調部と、第１および第２の復調部が搭載されるプリント配線基板とを備え、プリント配線基板は、第１の復調部を構成する信号配線パターンを形成するための第１の領域と、第２の復調部を構成する信号配線パターンを形成するための第２の領域と、第１の領域と第２の領域との間に設けられた境界領域とを含み、境界領域は、第１および第２の復調部によって共用可能な信号配線パターンを配置するための共用領域と、第１および第２の復調部の信号配線パターンのうちの所定部分を電気的に分離するための分離領域とを有する。プリント配線基板を囲んで収納するための導電性のシャーシをさらに備え、プリント配線基板における共用領域は、第１の復調部および第２の復調部によって共有される接地電圧の配線パターンを含み、シャーシと接地電圧の配線パターンとは電気的に結合される。
【００２１】
本発明のさらに別の放送受信機は、第１の周波数信号を受信して、復調するための第１の復調部と、第２の周波数信号を受信して、復調するための第２の復調部と、第１および第２の復調部が搭載されるプリント配線基板とを備え、プリント配線基板は、第１の復調部を構成する信号配線パターンを形成するための第１の領域と、第２の復調部を構成する信号配線パターンを形成するための第２の領域と、第１の領域と第２の領域との間に設けられた境界領域とを含み、境界領域は、第１および第２の復調部によって共用可能な信号配線パターンを配置するための共用領域と、第１および第２の復調部の信号配線パターンのうちの所定部分を電気的に分離するための分離領域とを有する。プリント配線基板を囲んで収納するための導電性のシャーシと、プリント配線基板と平行に配置され、プリント配線基板を収納するためにシャーシの側面部の一方側に設けられた上蓋と、プリント配線基板と平行に配置され、シャーシの側面部の他方側に設けられた下蓋と、上蓋から下蓋までの間を貫通するように配置される、導電性部材とを備え、プリント配線基板における共用領域は、第１の復調部および第２の復調部によって共有される接地電圧の配線パターンを含み、接地電圧の配線パターンと導電性部材とは、電気的に結合される。
【００２２】
好ましくは、上蓋および下蓋の少なくとも一方は、プリント配線基板方向に突起する突起部を有し、導電性部材は、突起部と電気的に結合される。
好ましくは、プリント配線基板上において、信号配線パターンは、分離領域の上面および下面を避けて配置される。
好ましくは、分離領域は、プリント配線基板を貫通するスリットを有する。
好ましくは、分離領域は、プリント配線基板を貫通する貫通孔を有する。
【００２３】
【発明の実施の形態】
本発明の実施の形態について図面を参照しながら詳細に説明する。なお、図中同一または相当部分には同一符号を付し、その説明は繰返さない。
【００２４】
（実施の形態１）
図１は、本発明の実施の形態１に従うプリント配線基板１１０の回路の配置を示す図である。
【００２５】
プリント配線基板１１０は、チューナブロック（復調部）ＴＡおよびＴＢの信号配線パターンと、チューナブロックＴＡおよびＴＢに挟まれる境界領域３４とを含む。境界領域３４は、共用領域３２および３３と分離領域３１とを有する。
【００２６】
チューナブロックＴＡは、ハイパスフィルタ１１と、増幅器１２と、ベースバンド復調部２０と、データ復調部１７と、入力端子１０と、出力端子１８とを含む。
【００２７】
チューナブロックＴＢは、ハイパスフィルタ５１と、増幅器５２と、ベースバンド復調部６０と、データ復調部５７と、入力端子５０と、出力端子５８とを含む。
【００２８】
チューナブロックＴＡおよびＴＢにおける各回路の接続関係等については、図９で説明したのと同様であるのでその説明は繰返さない。
【００２９】
境界領域３４を挟んでチューナブロックＴＡの各回路の信号配線パターン等がプリント配線基板１１０の一方に設計され、チューナブロックＴＢの各回路の信号配線パターン等が他方に設計される。
【００３０】
本発明の実施の形態１に従うプリント配線基板１１０は、プリント配線基板１００と比較して、チューナブロックＴＡおよびＴＢを完全に分離する境界領域３０を設けるのではなく、境界領域３４の一部の領域のみ分離領域３１としてチューナブロックＴＡおよびＴＢを分離した構成としている点である。さらに、それ以外の領域については、チューナブロックＴＡおよびＴＢの信号配線パターンが互いに共用する共用領域３２および３３を設けた構成としている点で異なる。
【００３１】
ここで、チューナブロックＴＡにおけるベースバンド復調部２０およびデータ復調部１７について説明する。
【００３２】
ベースバンド復調部２０は、入力信号強度が変化しても，所定の出力信号がほぼ一定に保たれるように利得を自動的に制御するための自動利得制御回路１３と、自動利得制御回路１３からの出力信号を互いに９０°の位相差を有するＩ信号およびＱ信号の２つのベースバンド信号にダイレクトコンバートするＩ／Ｑ直交検波器１４と、高周波ＲＦ信号の周波数と同一の周波数で発振する水晶発振器１５と、発振周波数の位相を高周波ＲＦ信号と正確に合わせるように制御するＰＬＬ回路１６とを含む。
【００３３】
データ復調部１７は、例えば、ベースバンド信号のデジタル符号に応じて搬送波の位相を離散的に変化させるＰＳＫ（Phase Shift Keying）復調部を有する。ＰＳＫ復調部は、例えば４相の復調方式である４ＰＳＫ復調あるいは８相の復調方式である８ＰＳＫ復調を行なう。また、ＰＳＫ復調部に代えて、別の復調方式である直交振幅復調を行なうＱＡＭ（ＱＡＭ：Quadrature  Amplitude  Modulation）復調部を有することも可能である。
【００３４】
かかる構成により、ベースバンド復調部２０からのＩ信号およびＱ信号の２つのベースバンド信号は、データ復調部１７によってビタビ復号化、デインタリーブ、ＲＳ復号化等のデジタル信号処理を経て出力端子１８からデジタル出力データが出力され、デジタル放送の受信が可能となる。
【００３５】
チューナブロックＴＢについても同様の構成であるのでその説明は繰り返さない。
【００３６】
ここで、分離領域３１について考える。
分離領域３１は、増幅器１２および５２の間の領域と、ベースバンド復調部２０および６０の間の領域とに対応して設けられている。
【００３７】
特に、増幅器１２および５２の間の領域に対応して分離領域が設けられているのは、入力端子１０から入力された高周波ＲＦ信号が増幅器１２によって増幅された結果、信号の漏洩量も増大するためチューナブロックＴＡおよびＴＢとの間で相互に干渉する干渉レベルが高まるからである。
【００３８】
また、ベースバンド復調部２０および６０の間の領域に対応して分離領域が設けられているのは、水晶発振器１５および５５においてそれぞれ発振周波数を出力するため発振周波数信号の漏洩によりチューナブロックＴＡおよびＴＢとの間で相互に干渉する干渉レベルが高まるからである。
【００３９】
本構成とすることにより、チューナブロックＴＡおよびＴＢの間で生じる干渉レベルの増大を防ぐことができる。
【００４０】
また、ハイパスフィルタ１１および５１に対応する領域において、その間に共用領域３２を設け、データ復調部１７および５７に対応する領域において、その間に共用領域３３を設けることにより、各チューナブロックＴＡおよびＴＢに電源を供給する電源ライン、Ｉ信号およびＱ信号の２つのベースバンド信号に復調した信号ライン、ＰＬＬ回路１６および５６に入力する信号ライン、水晶発振器１５および５５によって発振する出力信号ライン、高周波ＲＦ信号の入力端子を介してアンテナに電源を供給するＬＮＢライン等を共用領域３２および３３を用いて、両チューナブロックを横断させて配置できる。
【００４１】
これにより、各チューナブロックＴＡおよびＴＢの信号配線パターンを容易に構成することが可能である。
【００４２】
さらに、接地電圧配線パターンＧＮＤＰを図１に示すようにチューナブロックＴＡおよびＴＢにおいて共用領域３２を横断する形で共用することができるため、各チューナブロックを十分に接地することができる。
【００４３】
図２は、本発明の実施の形態１の構成に従う受信周波数とベースバンド信号対妨害信号比との関係を示す図である。
【００４４】
図２を参照して、縦軸は、ベースバンド信号対妨害信号比の値を示す。横軸は、放送受信機が受信する高周波ＲＦ信号の周波数の値を示す。ここで、点線は、従来の放送受信機の波形を示す。実線は、本発明の放送受信機の波形を示す。
【００４５】
本発明の構成により全周波数域にわたって信号対妨害信号比が改善傾向となっていることがわかる。
【００４６】
（実施の形態１の変形例）
図３は、本発明の実施の形態１の変形例に従うプリント配線基板１２０の回路構成を示す図である。
【００４７】
図３を参照してプリント配線基板１２０は、プリント配線基板１１０と比較して入出力端子部６１をさらに設けた点で異なる。
【００４８】
入出力端子部６１は、高周波ＲＦ信号の入力端子１０および５０を除く外部入力または出力するチューナブロックＴＡおよびＴＢの入出力端子（例えば、出力端子１８および５８等）と接続されている。
【００４９】
ここで、入出力端子部６１は、チューナブロックＴＢの信号配線パターンの設計領域にあるとする。また、かかる共用領域３２および３３の少なくとも一方を横断して、チューナブロックＴＡの入出力信号配線パターン等と入出力端子部６１とを電気的に結合する。また、チューナブロックＴＢの入出力信号配線パターン等と入出力端子部６１とを電気的に結合する。
【００５０】
本構成とすることにより、共用領域３２および３３を用いて一定方向に入力および出力信号配線パターンを集約することが可能となる。
【００５１】
図４は、プリント配線基板１２０を適用した放送受信機２２０の外観構成を示す図である。
【００５２】
図４を参照して、一定方向に集約された入力および出力信号配線パターンと接続されている入出力端子部６１がシャーシの外側の出力端子１８および５８等と接続されている。
【００５３】
本構成により、シャーシの外側の入出力端子が一定方向に集約されるため放送受信機のシャーシ構造を簡易化することができ、また、放送受信機に装着されるマザーボードの占有面積を小さくすることができる。
【００５４】
（実施の形態２）
本発明の実施の形態１では、プリント配線基板上のチューナブロックの境界領域を設ける構成について説明してきたが、本発明の実施の形態２では分離領域３１の具体的な構造について説明する。
【００５５】
チューナブロックＴＡおよびＴＢ相互の干渉を阻止するためチューナブロックＴＡとＴＢの信号配線パターンは、分離領域３１を避けて配置される。
【００５６】
したがって、プリント配線基板上において分離領域３１の上面および下面に部品配置および信号配線パターンを形成しないため信号配線パターンによる容量成分を減少させ、信号漏洩を軽減させることができる。
【００５７】
図５は、プリント配線基板１１０における分離領域３１の構造を示す図である。
【００５８】
図５（ａ）は、分離領域３１に外形金型による打抜きによりスリットを設けてチューナブロックＴＡとＴＢとを完全に分離する構造を示す図である。
【００５９】
かかる構成とすることにより高周波ＲＦ信号が接地電圧配線パターンＧＮＤＰおよび各信号配線パターン等に漏洩することによりチューナブロックＴＡおよびＴＢ間で生じる干渉を阻止することができる。
【００６０】
図５（ｂ）は、分離領域３１にプリント配線基板を貫通する貫通孔であるＮＣ孔を打ち抜きミシン目状に配列してチューナブロックＴＡとＴＢとを分離する構成である。
【００６１】
このような構成とすることにより図５（ａ）に示される分離領域３１を設ける構成と比較して加工費を低減させることができる。
【００６２】
（実施の形態３）
実施の形態２では分離領域について説明してきたが本発明の実施の形態３では共用領域において接地電圧配線パターンＧＮＤＰを強化することを目的とする。
【００６３】
図６は、本発明の実施の形態３に従う放送受信機２１０の外観構成を示す概念図である。
【００６４】
放送受信機２１０は、共用領域３５における接地電圧配線パターンＧＮＤＰを強化するため上蓋１および下蓋３に至るまでの間に所定面積の貫通領域を設け、かかる貫通領域に導電性の金属製パーツ７０を挿入する構成となっている。
【００６５】
図７は、図６を参照してＸ−Ｘ♯−Ｙ＃−Ｙ平面による断面図である。
図７を参照して、金属製パーツ７０はプリント配線基板１３０を貫通し、下蓋３上に設けられた突起部分７１と電気的に接触している。また、導電性のシャーシ２は、下蓋３の外枠と電気的に接触している。たとえば、半田付けにより電気的に接触させることができる。尚、ここでは、下蓋３の突起部分７１について説明したが、上蓋１に同様の突起部分を設けて金属製パーツ７０と電気的に接触する構成とすることも可能である。突起部分７１は、例えば、下蓋３の一部を切り裂いて内側に折り曲げたり、また、プレス加工等によりパンチングで下蓋３の内側に押し出すことにより生成させることも可能である。尚、ここでは、下蓋３に設けられた突起部分７１について説明したが、下蓋３に限らず上蓋１にも受ける構成としてもよい。
【００６６】
かかる構成とすることにより、半田付けを容易にすることが可能となる。
また、プリント配線基板１３０の共用領域３４に配置される接地電圧配線パターンＧＮＤＰは導電性のシャーシ２と半田付けされ、さらにプリント配線基板１３０を貫通している金属製パーツ７０とも半田付けされる。
【００６７】
本構成とすることにより接地電圧配線パターンＧＮＤＰをシャーシ２および金属製パーツ７０と電気的に接触させて強化することができ、異なる高周波ＲＦ信号が接地電圧配線パターンＧＮＤＰを経由してチューナブロックＴＡおよびＴＢ間において干渉することを軽減することができる。
【００６８】
本発明は、デジタル信号出力の放送受信機例えば、衛星放送受信機等についてその構成を示してきたが、デジタル信号出力の放送受信機に限らず、アナログ信号出力の放送受信機例えば、ラジオ放送受信機等にも適用可能である。
【００６９】
【発明の効果】
本発明の放送受信機によれば、第１の領域と第２の領域との間に境界領域を設け、境界領域に第１および第２の復調部の信号配線パターンが互いに分離する分離領域および第１および第２の復調部の信号配線パターンが互いに共用される共用領域を設けることにより、第１および第２の復調部の信号配線パターンを容易に構成することができる。
【００７０】
本発明の放送受信機によれば、共用領域を第１のフィルタおよび第２のフィルタに対応してその間に配置し、分離領域を第１の増幅器から第１のベースバンド信号復調部および第２の増幅器から第２のベースバンド信号復調部に対応してその間に配置することにより、境界領域のうち隔離した分離領域を設けることができるため第１および第２の復調部相互で生じる第１および第２の放送信号の干渉を阻止することができる。
【００７１】
本発明の放送受信機によれば、シャーシは、入力信号端子および出力信号端子を有し、一定方向に集約された入力信号配線パターンおよび出力信号配線パターンと接続されるためシャーシ構造を簡易にし、マザーボードの占有面積を小さくすることができる。
【００７２】
本発明の放送受信機によれば、第１および第２の復調部を構成する信号配線パターンを分離領域を避けて設計することにより、信号配線パターンにより生じる配線間容量を減少させ、信号漏洩量を軽減することができる。
【００７３】
本発明の放送受信機によれば、分離領域をスリットで構成することにより、簡易にプリント配線基板の分離領域を設計することができる。
【００７４】
本発明の放送受信機によれば、分離領域を貫通孔で構成することにより、さらに簡易にプリント配線基板の分離領域を設計することができる。
【００７５】
本発明の放送受信機によれば、導電性のシャーシと接地電圧配線パターンとを電気的に結合させることにより接地電圧を強化することができ、第１の復調部と第２の復調部相互で生じる干渉を低減することができる。
【００７６】
本発明の放送受信機によれば、導電性部材を上蓋から下蓋まで貫通させて、導電性部材と接地電圧配線パターンとを電気的に結合させることにより、請求項９よりもさらに接地電圧を強化し、第１の復調部と第２の復調部相互で生じる干渉を低減することができる。
【００７７】
本発明の放送受信機によれば、下蓋の突起部と導電性部材とを電気的に接触させることにより、さらに接地電圧を強化し、第１の復調部と第２の復調部相互で生じる干渉を低減することができる。
【図面の簡単な説明】
【図１】  本発明の実施の形態１に従うプリント配線基板１１０の回路の配置を示す図である。
【図２】  本発明の実施の形態１の構成に従う受信周波数とベースバンド信号対妨害信号比との関係を示す図である。
【図３】  本発明の実施の形態１の変形例に従うプリント配線基板１２０の回路構成を示す図である。
【図４】  プリント配線基板１２０を適用した放送受信機２２０の外観構成を示す図である。
【図５】  プリント配線基板１１０における分離領域３１の構造を示す図である。
【図６】  本発明の実施の形態３に従う放送受信機２１０の外観構成を示す概念図である。
【図７】  Ｘ−Ｘ♯−Ｙ＃−Ｙ平面による断面図である。
【図８】  ２つのチューナブロックを同一のプリント配線基板に装着した従来の放送受信機２００の外観構成図である。
【図９】  プリント配線基板１００に装着される回路の配置を示す図である。
【符号の説明】
１００，１１０，１２０，１３０  プリント配線基板、２００，２１０  放送受信機、ＴＡ，ＴＢ  チューナブロック。
【図１】
0003741635.tif 000002
【図２】
0003741635.tif 000003
【図３】
0003741635.tif 000004
【図４】
0003741635.tif 000005
【図５】
0003741635.tif 000006
【図６】
0003741635.tif 000007
【図７】
0003741635.tif 000008
【図８】
0003741635.tif 000009
【図９】
0003741635.tif 000010